(57)【特許請求の範囲】
【請求項１】
腹側部、股下部及び背側部からなり、腹側部と背側部との両側縁同士を接合して、一対の接合部、ウエスト開口部及び一対のレッグ開口部が形成されたパンツ型の外装体と、該外装体の内面側に固定され液保持性の吸収体を有する縦長の吸収性本体とからなり、前記レッグ開口部の周縁に沿って一又は複数本のレッグ部弾性部材が配されているパンツ型の吸収性物品において、
左右のレッグ部弾性部材間の最小幅が存する位置が、前記接合部を開いて引き伸ばした状態の外装体の長手方向二等分線ＣＴよりも腹側に偏倚しており、
前記吸収性本体に、該吸収性本体の長手方向に延びる複数の弾性部材が、該吸収性本体の厚み方向における前記吸収体の前記外装体側に、伸長状態で配設されており配設されており、
前記吸収性本体は、その長手方向の両端部に位置する一対の第１接合部及び排泄ポイント近傍に位置する第２接合部において、前記外装体に接着剤を介して接合されていると共に、第１接合部それぞれと第２接合部との間に、該吸収性本体が該外装体に接合されていない非接合部が形成されており、
前記状態の外装体の最大幅Ｗと、該状態の外装体の最小幅が存する位置での前記吸収体の幅Ｍとの比Ｗ／Ｍが、３．５〜１０であり、
前記状態の外装体において、前記レッグ部弾性部材のうち、背側へ延びるレッグ部弾性部材が以下の条件（１）〜（３）を満たし且つ腹側へ延びるレッグ部弾性部材が以下の条件（４）〜（６）を満たすパンツ型吸収性物品。
（１）股下部において、背側へ延びるレッグ部弾性部材の接線と外装体横断線とのなす角が４５度となる位置を背側立ち上がり位置Ａとしたとき、該背側立ち上がり位置Ａが、外装体の幅方向に関して吸収体の側縁から１０ｍｍ以内で内方又は外方に存する。
（２）前記背側立ち上がり位置Ａから、外装体の全長Ｌの１０％の長さだけ背側の端部方向へ離れた位置を通る外装体横断線と、背側へ延びるレッグ部弾性部材とが交差する点を背側第１計測点Ｂ1としたとき、背側立ち上がり位置Ａと背側第１計測点Ｂ1とを結ぶ線ＡＢ1が、外装体横断線となす角θbが１１０〜１３０度である。
（３）背側第１計測点Ｂ1から更に背側へ延びるレッグ部弾性部材の接線と、外装体縦断線とのなす角が４５度となる該レッグ部弾性部材の位置を背側第２計測点Ｂ2としたとき、背側立ち上がり位置Ａから、背側第２計測点Ｂ2を通る外装体横断線までの距離Ｌbと、前記状態の外装体の全長Ｌとの比Ｒb（Ｒb＝Ｌb／Ｌ×１００）が１５〜３５％である。
（４）股下部において、腹側へ延びるレッグ部弾性部材の接線と、外装体横断線とのなす角が４５度となる位置を腹側立ち上がり位置Ｃとしたとき、該腹側立ち上がり位置Ｃが、外装体の幅方向に関して吸収体の側縁から１０ｍｍ以内で内方又は外方に存する。
（５）腹側立ち上がり位置Ｃから更に腹側へ延びるレッグ部弾性部材の接線と、外装体縦断線とのなす角が４５度となる該レッグ部弾性部材の位置を腹側第１計測点Ｆ1としたとき、腹側立ち上がり位置Ｃと腹側第１計測点Ｆ1とを結ぶ線ＣＦ1と、外装体横断線とのなす角θfが９０〜１４０度である。
（６）腹側立ち上がり位置Ｃから、腹側第１計測点Ｆ１を通る外装体横断線までの距離Ｌfと、前記状態の外装体の全長Ｌとの比Ｒf（Ｒf＝Ｌf／Ｌ×１００）が１５〜５０％である。
【請求項２】
一対の前記レッグ部弾性部材間の最小幅が存する位置が、前記状態の外装体の長手方向二等分線ＣTよりも３０〜７０ｍｍ腹側に偏倚しており、前記角θbが１１０〜１３０度であり、前記比Ｒbが２０〜３０％であり、前記角θfが１２０〜１４０度であり、前記比Ｒfが２０〜４０％である請求項１記載のパンツ型吸収性物品。
【請求項３】
背側立ち上がり位置Ａ及び腹側立ち上がり位置Ｃがそれぞれ、外装体の幅方向に関して前記吸収体の側縁から１０ｍｍ以内で内側に存するか、又は該側縁上に存する請求項１又は２記載のパンツ型吸収性物品。
【発明の詳細な説明】
【０００１】
【発明の属する技術分野】
本発明は、例えばショーツ型の生理用ナプキンや失禁用ショーツとして好適に用いられるパンツ型吸収性物品に関する。
【０００２】
【従来の技術及び発明が解決しようとする課題】
本出願人は先に特開２０００−１７５９６６号公報で、吸収性本体とパンツ型の外装体とからなるパンツ型吸収性着用物品において、外装体の接合部の長さとレッグ開口部の長さとの比を１．５以上とし且つ外装体の最大幅と最小幅との比を２以上としたパンツ型吸収性着用物品を提案した。このパンツ型吸収性着用物品によれば、装着感が良好となり、動き易くなり、股間部のフィット性が高くなり、また漏れ防止性が良好となる。しかし、このパンツ型吸収性着用物品では、レッグ開口部の長さが比較的大きいので、これを着用すると臀部の被覆性が十分とならない場合がある。臀部の被覆性が十分でないと、臀部を覆う外装体が着用中にずれ上がって、いわゆる後ろ漏れが起こりやすくなる。一方、臀部の被覆性を高めようとすると、股間部のフィット性や動き易さが損なわれる傾向にある。
【０００３】
従って、本発明は、股間部のフィット性や動き易さを損なわずに臀部の被覆性を高め得るパンツ型吸収性物品を提供することを目的とする。
【０００４】
【課題を解決するための手段】
本発明は、腹側部、股下部及び背側部からなり、腹側部と背側部との両側縁同士を接合して、一対の接合部、ウエスト開口部及び一対のレッグ開口部が形成されたパンツ型の外装体と、該外装体の内面側に固定され液保持性の吸収体を有する縦長の吸収性本体とからなり、前記レッグ開口部の周縁に沿って一又は複数本のレッグ部弾性部材が配されているパンツ型の吸収性物品において、
左右のレッグ部弾性部材間の最小幅が存する位置が、前記接合部を開いて引き伸ばした状態の外装体の長手方向二等分線ＣＴよりも腹側に偏倚しており、
前記吸収性本体に、該吸収性本体の長手方向に延びる複数の弾性部材が、該吸収性本体の厚み方向における前記吸収体の前記外装体側に、伸長状態で配設されており配設されており、
前記吸収性本体は、その長手方向の両端部に位置する一対の第１接合部及び排泄ポイント近傍に位置する第２接合部において、前記外装体に接着剤を介して接合されていると共に、第１接合部それぞれと第２接合部との間に、該吸収性本体が該外装体に接合されていない非接合部が形成されており、
前記状態の外装体の最大幅Ｗと、該状態の外装体の最小幅が存する位置での前記吸収体の幅Ｍとの比Ｗ／Ｍが、３．５〜１０であり、
前記状態の外装体において、前記レッグ部弾性部材のうち、背側へ延びるレッグ部弾性部材が以下の条件（１）〜（３）を満たし且つ腹側へ延びるレッグ部弾性部材が以下の条件（４）〜（６）を満たすパンツ型吸収性物品を提供することにより前記目的を達成したものである。
【０００５】
（１）股下部において、背側へ延びるレッグ部弾性部材の接線と外装体横断線とのなす角が４５度となる位置を背側立ち上がり位置Ａとしたとき、該背側立ち上がり位置Ａが、外装体の幅方向に関して吸収体の側縁から１０ｍｍ以内で内方又は外方に存する。
（２）前記背側立ち上がり位置Ａから、外装体の全長Ｌの１０％の長さだけ背側の端部方向へ離れた位置を通る外装体横断線と、背側へ延びるレッグ部弾性部材とが交差する点を背側第１計測点Ｂ1としたとき、背側立ち上がり位置Ａと背側第１計測点Ｂ1とを結ぶ線ＡＢ1が、外装体横断線となす角θbが１１０〜１３０度である。
（３）背側第１計測点Ｂ1から更に背側へ延びるレッグ部弾性部材の接線と、外装体縦断線とのなす角が４５度となる該レッグ部弾性部材の位置を背側第２計測点Ｂ2としたとき、背側立ち上がり位置Ａから、背側第２計測点Ｂ2を通る外装体横断線までの距離Ｌbと、前記状態の外装体の全長Ｌとの比Ｒb（Ｒb＝Ｌb／Ｌ×１００）が１５〜３５％である。
（４）股下部において、腹側へ延びるレッグ部弾性部材の接線と、外装体横断線とのなす角が４５度となる位置を腹側立ち上がり位置Ｃとしたとき、該腹側立ち上がり位置Ｃが、外装体の幅方向に関して吸収体の側縁から１０ｍｍ以内で内方又は外方に存する。
（５）腹側立ち上がり位置Ｃから更に腹側へ延びるレッグ部弾性部材の接線と、外装体縦断線とのなす角が４５度となる該レッグ部弾性部材の位置を腹側第１計測点Ｆ1としたとき、腹側立ち上がり位置Ｃと腹側第１計測点Ｆ1とを結ぶ線ＣＦ1と、外装体横断線とのなす角θfが９０〜１４０度である。
（６）腹側立ち上がり位置Ｃから、腹側第１計測点Ｆ1を通る外装体横断線までの距離Ｌfと、前記状態の外装体の全長Ｌとの比Ｒf（Ｒf＝Ｌf／Ｌ×１００）が１５〜５０％である。
【０００６】
【発明の実施の形態】
以下本発明を、その好ましい実施形態に基づき図面を参照しながら説明する。図１には、本発明のパンツ型吸収性物品の一例としてのショーツ型生理用ナプキンの斜視図が示されている。図２には、図１に示すショーツ型生理用ナプキンを、その左右の接合部を開いて引き伸ばした状態を内面側から見た平面図が示されている。また図３及び図４はそれぞれ図２におけるＸ−Ｘ線及びＹ−Ｙ線断面を模式的に示す断面図である。
【０００７】
図１〜図４に示すショーツ型生理用ナプキン１（以下、単にナプキンともいう）は、パンツ型の外装体２１と、該外装体２１の内面側に固定され、液保持性の吸収体１４を有する縦長の吸収性本体１１とからなる。ナプキン１は、生理時等に着用されて用いられる、液吸収保持能を有する使い捨てタイプのショーツである。
【０００８】
図１に示すように、外装体２１は、着用時に着用者の腹側に位置する腹側部２１Ａと、着用者の背側に位置する背側部２１Ｂと、着用者の股下部に位置する股下部２１Ｃとからなり、腹側部２１Ａ及び背側部２１Ｂの左右両側縁同士を、ヒートシール等の公知の接合手段により接合することで一対の接合部２８，２８が形成されている。これにより、外装体２１は、ウエスト開口部２２及び一対のレッグ開口部２４，２４を有するパンツ型の形態を有している。
【０００９】
ウエスト開口部２２及び一対のレッグ開口部２４，２４それぞれには、各開口部の周囲に実質的に連続したギャザーが形成されるように、ウエスト部弾性部材２３及びレッグ部弾性部材２５が配設されている。更に外装体２１には、ウエスト部弾性部材２３及びレッグ部弾性部材２５それぞれよりも細い弾性部材（以下、胴周囲部弾性部材３という）が、それぞれ幅方向に向けて、腹側部２１Ａ、股下部２１Ｃ及び背側部２１Ｂに亘る範囲に所定間隔で複数配設されている。外装体２１は、それぞれ不織布からなる複数のシート材、詳細には、ナプキン１の外面を形成する外層シート２６とその内側の内層シート２７の計２枚のシート材を主体として構成されており、ウエスト部弾性部材２３、レッグ部弾性部材２５及び胴周囲部弾性部材３は、それぞれ、両シート２６，２７間に伸張状態で固定されている。尚、図２においては、吸収性本体１１の図示が省略されており、該吸収性本体における吸収体の配設位置が２点鎖線で示されている。更に図２においては、ウエスト部弾性部材２３及び胴周囲部弾性部材３の図示も省略されている。
【００１０】
図３及び図４に示すように、吸収性本体１１は、液透過性の表面シート１２、液不透過性の裏面シート１３及び両シート１２，１３間に介在された液保持性の吸収体１４を具備し、平面視して縦長矩形状をなしている。表面シート１２及び裏面シート１３は、吸収体１４の周縁部において互いに接合されており、吸収体１４は表裏面シート１２，１３間に挟持固定されている。
【００１１】
吸収性本体１１の厚み方向における吸収体１４の外装体２１側には、弾性部材１５が、該吸収性本体１１の長手方向に沿って伸長状態で配設されている。弾性部材１５は糸状であり、吸収体１４と裏面シート１３との間に、互いに平行に複数本配されている。弾性部材１５は、その全長に亘って、接着剤を介して吸収体１４及び裏面シート１３に接合固定されている。また、弾性部材１５は、吸収性本体１１の長手方向の両端部において、表面シート１２及び裏面シート１３と共に外装体２１に固定されている。吸収性本体１１の長手方向の両側縁部には、それぞれ、弾性部材１６を有する立体ギャザー形成用のシート材１７が長手方向に沿って接合固定されて、立体ギャザー１８が形成されている。
【００１２】
図２に示すように、引き伸ばした状態の外装体２１の最大幅をＷとし、また該状態の外装体２１の最小幅が存する位置での吸収体１４の幅をＭとすると、ＷとＭの比（Ｗ／Ｍ）は、３．５〜１０、好ましくは４〜８となっている。両者の比をこの範囲内とすることによって、股間部２１Ｃにおけるナプキン１のフィット性と臀部の被覆性とのバランスが図られる。本実施形態においては、外装体２１の最大幅Ｗはウエスト開口部２２付近に存し、その値は５００〜７５０ｍｍ程度である。また外装体２１の最小幅は股下部２１Ｃに存する。この位置での吸収体１４の幅Ｍは６０〜１２０ｍｍ、特に７０〜９０ｍｍ程度である。
【００１３】
吸収性本体１１は、図２に示すように、その長手方向を、外装体２１の長手方向（図２の上下方向）に一致させて、腹側部２１Ａ、股下部２１Ｃ及び背側部２１Ｂに亘るように、外装体２１の内面側に固定されている。吸収性本体１１は、その長手方向の両端部に位置する一対の第１接合部４ａ，４ａ及び排泄ポイント近傍に位置する第２接合部４ｂにおいて、外装体２１に接着剤を介して接合されている。排泄ポイント近傍とは、着用者の排泄部に対向配置される部位及びその近傍を意味する。本実施形態の吸収性物品における排泄ポイントは、吸収性本体１１を長手方向に二分する中心線から腹側部２１Ａ側に若干偏倚した位置にある。一対の第１接合部４ａ，４ａ及び第２接合部４ｂは、それぞれ、吸収性本体１１の幅方向中央部における、裏面シート１３及び／又は外装体２１における該裏面シート１３に臨む面に、ホットメルト型の接着剤等の公知の接着剤を所定形状（矩形状）に塗布し、該接着剤を介して両者を接合させて形成されている。
【００１４】
一対の第１接合部４ａ，４ａそれぞれと第２接合部４ｂとの間には、該吸収性本体１１が該外装体２１に接合されていない非接合部６，６が形成されている。即ち、弾性部材１５が配設された弾性領域内における、一対の第１接合部４ａ，４ａそれぞれと第２接合部４ｂとの間においては、該吸収性本体１１と外装体２１とは接着されていない。弾性部材１５が配設された弾性領域とは、吸収性本体１１の幅方向の両外側に位置する一対の弾性部材１５の外側縁と、吸収体の長手方向の両端とに囲まれた領域である。但し、幅広の弾性部材１５が１本のみ配設されている場合には該弾性部材の両側縁と、吸収体の長手方向の両端とに囲まれた領域である。
【００１５】
図２に示すようにレッグ部弾性部材２５は、背側へ延びる背側レッグ部弾性部材（以下、単に背側弾性部材ともいう）２５ｂと、腹側へ延びる腹側レッグ部弾性部材（以下、単に腹側弾性部材ともいう）２５ｆとからなる。背側弾性部材２５ｂ及び腹側弾性部材２５ｆはそれぞれ、一方のレッグ開口部の周縁Ｒ1に沿って延びており、股下部２１Ｃを横断し、更に他方のレッグ開口部の周縁Ｒ2に沿って延びている。レッグ部弾性部材２５は、外装体２１の縦中心線に関して対称に配されており、レッグ開口部の周縁Ｒ1，Ｒ2に沿って延びている部分は、外装体２１の縦中心線に向かって湾曲する曲線を描いている。そして、レッグ開口部の周縁Ｒ1，Ｒ2に沿って延びる左右のレッグ部弾性部材２５は、両者間の最小幅が、外装体２１の長手方向二等分線ＣTよりも腹側に偏倚した位置に存している。具体的には前記最小幅は、前述した排泄ポイント付近に存している。これによって、レッグ部弾性部材２５の作用により、吸収性本体１１が着用者の排泄部位にフィットするように押し当てられる。前記最小幅の存する位置が、長手方向二等分線ＣTよりも３０〜７０ｍｍ、特に４０〜６０ｍｍ腹側に偏倚していると、吸収性本体１１のフィット性が一層良好になることから好ましい。
【００１６】
図５及び図６には、図２における円Ｖ及び円VIの拡大図がそれぞれ示されている。本実施形態においては、レッグ部弾性部材２５のうち、背側へ延びるレッグ部弾性部材２５ｂが以下の条件（１）〜（３）を満たし且つ腹側へ延びるレッグ部弾性部材２５ｆが以下の条件（４）〜（６）を満たしている。レッグ部弾性部材２５が一本ではなく複数本配されている場合、すべてのレッグ部弾性部材２５が以下の条件（１）〜（６）を満たすことが最も好ましいが、少なくとも最も外側に配されているレッグ部弾性部材が以下の条件（１）〜（６）を満たせば、本発明の効果が奏される。従って以下の説明は、最も外側に配されているレッグ部弾性部材に関して行う。また、以下の説明における寸法や角度はすべて、外装体２１を、その接合部２８を開き且つ引き伸ばした状態で測定された値である。
【００１７】
（１）股下部２１Ｃにおいて、背側弾性部材２５ｂの接線と外装体横断線とのなす角が４５度となる位置を背側立ち上がり位置Ａとしたとき、該背側立ち上がり位置Ａが、外装体の幅方向に関して吸収体の側縁Ｅから１０ｍｍ以内で内方又は外方に存する。
（２）前記背側立ち上がり位置Ａから、外装体の全長Ｌの１０％の長さだけ背側の端部方向へ離れた位置を通る外装体横断線と、背側弾性部材２５ｂとが交差する点を背側第１計測点Ｂ1としたとき、背側立ち上がり位置Ａと背側第１計測点Ｂ1とを結ぶ線ＡＢ1が、外装体横断線となす角θbが１１０〜１３０度である。
（３）背側第１計測点Ｂ1から更に背側へ延びる背側弾性部材２５ｂの接線と、外装体縦断線とのなす角が４５度となる該背側弾性部材２５ｂの位置を背側第２計測点Ｂ2としたとき、背側立ち上がり位置Ａから、背側第２計測点Ｂ2を通る外装体横断線までの距離Ｌbと、外装体の全長Ｌとの比Ｒb（Ｒb＝Ｌb／Ｌ×１００）が１５〜３５％である。
（４）股下部２１Ｃにおいて、腹側弾性部材２５ｆの接線と、外装体横断線とのなす角が４５度となる位置を腹側立ち上がり位置Ｃとしたとき、該腹側立ち上がり位置Ｃが、外装体の幅方向に関して吸収体の側縁Ｅから１０ｍｍ以内で内方又は外方に存する。
（５）腹側立ち上がり位置Ｃから更に腹側へ延びる腹側弾性部材２５ｆの接線と、外装体縦断線とのなす角が４５度となる該腹側弾性部材の位置を腹側第１計測点Ｆ1としたとき、腹側立ち上がり位置Ｃと腹側第１計測点Ｆ1とを結ぶ線ＣＦ1と、外装体横断線とのなす角θfが９０〜１４０度である。
（６）腹側立ち上がり位置Ｃから、腹側第１計測点Ｆ１を通る外装体横断線までの距離Ｌfと、外装体の全長Ｌとの比Ｒf（Ｒf＝Ｌf／Ｌ×１００）が１５〜５０％である。
【００１８】
先ず図５を参照しながら条件（１）〜（３）について説明する。条件（１）における背側立ち上がり位置Ａは、股下部２１Ｃにおいて、レッグ開口部の周縁Ｒ1，Ｒ2に沿って配されている背側弾性部材２５ｂの接線と外装体横断線（この線は外装体の縦中心線と直交する線である）とのなす角が４５度なる位置である。本実施形態のように、背側弾性部材２５ｂが、股下部２１Ｃを横断し且つレッグ開口部の周縁Ｒ1，Ｒ2に沿って配されている場合には、背側立ち上がり位置Ａは、一般に、股下部２１Ｃを横断する背側弾性部材２５ｂの配設方向が変化する位置と一致する。背側立ち上がり位置Ａは、外装体の幅方向に関して吸収体の側縁Ｅ（図５中、二点鎖線で示す）から１０ｍｍ以内で内方又は外方に存する。立ち上がり位置がこの範囲外となると、背側弾性部材２５ｂの収縮力が十分に働かないか又は働き過ぎて、臀部の被覆性が十分とならない。特に、背側立ち上がり位置Ａが、吸収体の側縁Ｅから１０ｍｍ以内で内側に存するか、又は側縁Ｅ上に存すると、臀部の被覆性が一層良好となることから好ましい。これに加えて、背側立ち上がり位置Ａが、外装体２１の縦中心線から幅方向へ３０〜６０ｍｍ外側に位置していると、臀部の被覆性が更に一層良好となることから好ましい。
【００１９】
条件（２）における、背側立ち上がり位置Ａから、外装体の全長Ｌの１０％の長さだけ背側の端部方向へ離れた位置を通る外装体横断線とは、図５中Ｔ1で表される線である。そして、外装体横断線Ｔ1が背側弾性部材２５ｂと交差する点を、背側第１計測点Ｂ1とする。背側第１計測点Ｂ1は、背側部における股下部近傍での臀部の被覆性と動き易さとのバランスを評価するのに適した位置であることが本発明者らの検討によって判明した。具体的には、背側立ち上がり位置Ａと背側第１計測点Ｂ1とを結ぶ線ＡＢ1と、外装体横断線（この外装体横断線を図５中Ｔ2で示す）とのなす角θbを１１０〜１３０度、好ましくは１１５〜１２５度とすることで、ナプキン１の装着中の動き易さやフィット性を損なわずに、背側部における股下部近傍での臀部の被覆性を良好にすることができる。尚、角θbは、図５に示すように、外装体横断線Ｔ2を水平線として、外装体の幅方向外方に向かって見たときの俯角をいう。
【００２０】
条件（３）における背側第２計測点Ｂ2とは、背側第１計測点Ｂ1から更に背側へ延びる背側弾性部材２５ｂの接線ＴLと、外装体縦断線Ｎ（この線は外装体の縦中心線と平行な線である）とのなす角が４５度となる該背側弾性部材２５ｂの位置である。また距離Ｌbとは、背側第２計測点Ｂ2を通る外装体横断線（この外装体横断線を図５中Ｔ3で示す）を引いたとき、背側立ち上がり位置Ａから外装体横断線Ｔ3までの距離をいう。背側第２計測点Ｂ2は、背側立ち上がり位置Ａから立ち上がってきた背側弾性部材２５ｂの配設方向が、外装体の幅方向外方へ変化する位置であり、臀部における比較的腰寄りの位置での臀部の被覆性を評価するのに適した位置であることが本発明者らの検討によって判明した。具体的には、背側第２計測点Ｂ2を基準として測定される距離であるＬbと、外装体の全長Ｌとの比Ｒb（Ｒb＝Ｌb／Ｌ×１００）としたとき、この値を１５〜３５％、好ましくは２０〜３０％とすることで、臀部の被覆性やフィット性が向上し、ナプキン１の着用中における外装体のずれ上がりが防止され、その結果液漏れが防止される。本実施形態における外装体の全長Ｌは５００〜８００ｍｍ程度である。また、距離Ｌbの値自体は１００〜２５０ｍｍ、特に１５０〜２００ｍｍであることが好ましい。
【００２１】
次に図６を参照しながら条件（４）〜（６）について説明する。条件（４）における腹側立ち上がり位置Ｃは、条件（１）における背側立ち上がり位置Ａと同様に定義され、本実施形態のように、腹側弾性部材２５ｆが、股下部２１Ｃを横断し且つレッグ開口部の周縁Ｒ1，Ｒ2に沿って配されている場合には、腹側立ち上がり位置Ｃは、一般に、股下部２１Ｃを横断する背側弾性部材２５ｆの配設方向が変化する位置と一致する。腹側立ち上がり位置Ｃは、外装体の幅方向に関して吸収体の側縁Ｅ（図６中、二点鎖線で示す）から１０ｍｍ以内で内方又は外方に存する。立ち上がり位置がこの範囲外となると、腹側弾性部材２５ｆの収縮力が十分に働かないか又は働き過ぎて、ナプキン１の装着中の動き易さが損なわれる。特に、腹側立ち上がり位置Ｃが、吸収体の側縁Ｅから１０ｍｍ以内で内側に存するか、又は側縁Ｅ上に存すると、動き易さが一層良好となることから好ましい。これに加えて、腹側立ち上がり位置Ｃが、外装体２１の縦中心線から幅方向へ３０〜６０ｍｍ外側に位置していると、臀部の被覆性が更に一層良好となることから好ましい。
【００２２】
条件（５）における腹側第１計測点Ｆ1とは、腹側立ち上がり位置Ｃから更に背側へ延びる腹側弾性部材２５ｆの接線ＴLと、外装体縦断線Ｎとのなす角が４５度となる該腹側弾性部材２５ｆの位置である。腹側第１計測点Ｆ1は、腹側立ち上がり位置Ｃから立ち上がってきた腹側弾性部材２５ｆの配設方向が、外装体の幅方向外方へ変化する位置であり、ナプキン１の着用中における動き易さを評価するのに適した位置であることが本発明者らの検討によって判明した。具体的には、腹側立ち上がり位置Ｃと腹側第１計測点Ｆ1とを結ぶ線ＣＦ1と、外装体横断線（この外装体横断線を図６中Ｔ4で示す）とのなす角θfを９０〜１４０度、好ましくは１２０〜１４０度とすることで、動き易さを良好にすることができる。尚、角θfは、図６に示すように、外装体横断線Ｔ4を水平線として、外装体の幅方向外方に向かって見たときの仰角をいう。
【００２３】
条件（６）における距離Ｌfとは、腹側第１計測点Ｆ1を通る外装体横断線（この外装体横断線を図６中Ｔ5で示す）を引いたとき、腹側立ち上がり位置Ｃから外装体横断線Ｔ5までの距離をいう。前述の通り、腹側第１計測点Ｆ1は、ナプキン１の着用中における動き易さを評価するのに適した位置であり、腹側第１計測点Ｆ1を基準として測定される距離であるＬfと、外装体の全長Ｌとの比Ｒf（Ｒf＝Ｌf／Ｌ×１００）としたとき、この値を１５〜５０％、好ましくは２０〜４０％とすることで、ナプキン１の着用中における動き易さが向上する。また、距離Ｌfの値自体は５０〜１８０ｍｍ、特に５０〜１００ｍｍであることが好ましい。
【００２４】
ナプキン１においては、背側弾性部材２５ｂ及び腹側弾性部材２５ｆが、前述の条件（１）〜（６）を満たすことで、股間部のフィット性や動き易さを損なわずに臀部の被覆性が向上する。更に、前述した通り、吸収性本体１１に、長手方向に延びる複数の弾性部材１５が伸長状態で配設されていることから、股間部Ｃでのフィット性が一層良好になる。このフィット性は、弾性部材１５が、吸収性本体１１の厚み方向における吸収体１４の外装体２１側に配設されていることで一層顕著となる。特に、吸収性本体１１を、その長手方向の両端部に位置する一対の第１接合部４ａ及び排泄ポイント近傍に位置する第２接合部４ｂにおいて外装体２１に接合し且つ一対の第１接合部４ａそれぞれと第２接合部４ｂとの間に吸収性本体１１が外装体２１に接合されていない非接合部６，６を形成することで、非接合部６，６上に位置する弾性部材１５が容易に収縮可能となり、着用時には、図７に示すように、弾性部材１５の収縮作用により、吸収性本体１１が着用者の肌側に向けて持ち上げられ、吸収性本体１１が着用者の排泄部にフィットするよう押し当てられる。しかも、吸収性本体１１は、排泄ポイント近傍に位置する第２接合部４ｂにおいて外装体２１に接合され、第２接合部４ｂ上に位置する弾性部材１５は、弾性伸縮性を発現しないか又は非接合部６，６上に位置する部位よりも弾性伸縮性が発現しにくいため、排泄ポイント近傍における吸収性本体１１には皺が生じにくく、着用者の排泄部には、吸収性本体１１の液吸収面が皺の比較的少ない状態で押し当てられる。これらの結果、本実施形態のナプキン１によれば、液が効率的に吸収され、また吸収性本体１１上に排泄された液の横方向への移動が防止され、これにより、優れた吸収性能及び漏れ防止性能が得られる。
【００２５】
本実施形態のナプキン１の構成部材について説明すると、表面シート１２、裏面シート１３、吸収体１４、立体ギャザー１８形成用のシート材１７、外層シート２６、内層シート２７等の形成材料としては、従来、パンツ型使い捨ておむつや生理用ナプキン等に用いられるものを特に制限なく用いることができる。尚、図示例における吸収体１４は、それぞれ繊維集合体からなる大小二つの吸収層を積層し、これをティッシュペーパ等の液透過性の紙や不織布（図示せず）で被覆したものである。このように構成することで、排泄部へのフィット性を向上し、モレを防止できる。また、吸収体の形状は、図示例の如く矩形状のものの他、台形や砂時計形状等、任意の形状のものを用いることができる。また、立体ギャザー形成用のシート材１７としては、撥水性の不織布やフィルム等からなるものが好ましく、それにより、幅方向に撥水領域を形成し、モレを一層確実に防止することができる。
【００２６】
ウエスト部弾性部材２３、レッグ部弾性部材２５、胴周囲部弾性部材３、立体ギャザー１８形成用の弾性部材１６、吸収性本体１１に配設する弾性部材１５としては、それぞれ、従来、パンツ型の使い捨ておむつ等に用いられているものと同様のものを用いることができる。各部に配される弾性部材の形成素材としては、例えば、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。各弾性部材としては、各種形態のものを用いることができるが、弾性部材２３及び２５の形態は、所定幅の帯状のもの（平ゴム等）が好ましく、弾性部材３の形態としては、糸状のもの（糸ゴム等）が好ましく、弾性部材１５の形態としては、糸状のもの（糸ゴム等）、所定幅の帯状のもの（平ゴム等）、薄膜状のもの（ウレタンフィルム等）が好ましい。
【００２７】
本発明は前記実施形態に制限されない。例えば前記実施形態においては、背側弾性部材２５ｂ及び腹側弾性部材２５ｆは何れも外装体の股下部２１Ｃを横断していたが、これに代えて、股下部２１Ｃを横断させずに、レッグ開口部の周縁Ｒ1，Ｒ2に沿って背側弾性部材２５ｂと腹側弾性部材２５ｆとを一体的に配してもよい。この場合は、レッグ開口部の周縁Ｒ１，Ｒ２間で最小幅が存する位置を、背側立ち上がり位置Ａ及び腹側立ち上がり位置Ｃとする。また前記実施形態では、各種弾性部材を使用したが、弾性機能を有する不織布等のシート材から外装体を形成して同様の効果を得てもよい。
【００２８】
本発明のパンツ型吸収性物品は、前述したショーツ型生理用ナプキンに限られず、失禁用ショーツ、子供用又は大人用の使い捨ておむつ等の各種使い捨て着用物品に適用することができる。
【００２９】
〔実施例１〜３及び比較例１〜３〕
図１〜図７に示す構造を有し、以下の表１に示す寸法等を有するショーツ型生理用ナプキンを製造した。尚、実施例１〜３においては、接合部２８（図１参照）の長さはそれぞれ１６０ｍｍ、１７０ｍｍ及び１８０ｍであり、外装体の最大幅は５８０ｍｍであった。得られたナプキンについて、「臀部被覆性」、「臀部ダブツキ防止性」、「動き易さ」及び総合的な「使用感」を以下の方法で評価した。その結果を以下の表２に示す。
【００３０】
〔評価方法〕
成人女性１０人に、実施例１〜３及び比較例１〜３のショーツ型生理用ナプキンを装着させ、５：良い、４：やや良い、３：普通、２：やや悪い、１：悪いの５段階で「臀部被覆性」、「臀部ダブツキ防止性」、「動き易さ」及び「使用感」を評価させ、それぞれの結果を平均した。
【００３１】
【表１】
0003725049.tif 000002
【００３２】
【表２】
0003725049.tif 000003
【００３３】
表１及び表２に示す結果から明らかな通り、実施例のナプキン（本発明品）によれば、臀部の被覆性が良く、動きやすいため、漏れに対する安心感（特に後部漏れ）が高いことが判る。また、様々な動きに対する応答が良く、身体、特に股間部へのフィット性が高く、漏れを防止する効果が高くなることが判る。
【００３４】
【発明の効果】
本発明のパンツ型吸収性物品によれば、股間部のフィット性や動き易さを損なわずに臀部の被覆性が高まり、液漏れが効果的に防止される。
【図面の簡単な説明】
【図１】本発明のパンツ型吸収性物品の一例としてのショーツ型生理用ナプキンを示す斜視図である。
【図２】図１に示すショーツ型生理用ナプキンを、その左右の接合部を開いて引き伸ばした状態を内面側から見た平面図である。
【図３】図２におけるＸ−Ｘ線断面を模式的に示す断面図である。
【図４】図２におけるＹ−Ｙ線断面を模式的に示す断面図である。
【図５】図２における円Ｖで示す範囲を拡大して示す模式図である。
【図６】図２における円VIで示す範囲を拡大して示す模式図である。
【図７】着用状態における図２のＹ−Ｙ線断面に相当する断面を模式的に示す断面図である。
【符号の説明】
１    ショーツ生理用ナプキン（パンツ型吸収性物品）
１１    吸収性本体
１２      表面シート
１３      裏面シート
１４      吸収体
１５      弾性部材
２１    外装体
２５    レッグ部弾性部材
２５ｆ  腹側弾性部材
２５ｂ  背側弾性部材
Ａ    腹側部
Ｂ    背側部
Ｃ    股下部
【図１】
0003725049.tif 000004
【図２】
0003725049.tif 000005
【図３】
0003725049.tif 000006
【図４】
0003725049.tif 000007
【図５】
0003725049.tif 000008
【図６】
0003725049.tif 000009
【図７】
0003725049.tif 000010